(57)【要約】【課題】測定した抵抗値に基づいて測定対象体の検査を行う際の検査効率を向上させる。【解決手段】測定用の電圧Ｖを出力する電源部１１と、出力された電圧Ｖの電圧値および電圧Ｖの供給に伴って流れる電流Ｉ１の電流値に基づいて抵抗値Ｒｍを測定する測定部１２と、正極および負極を有する測定対象体における正極に接続される第１プローブ２０ａと、負極に接続される第２プローブ２０ｂと、基準電位に接続される第３プローブ２０ｃと、第１プローブ２０ａおよび第２プローブ２０ｂの相互間の電気的接断を行う接断器１３とを備え、接断器１３は、制御信号Ｓ１（測定指示）に従って第１プローブ２０ａおよび第２プローブ２０ｂを相互に接続させ、測定部１２は、電圧Ｖの電圧値、並びにプローブ２０ａ，２０ｂと第３プローブ２０ｃとの間に流れる電流Ｉ１の電流値に基づいて正極および負極と基準電位との間の抵抗値Ｒｍを測定する。【選択図】図１
2012154655.tif 000002
【特許請求の範囲】
【請求項１】
測定用電圧を出力する電源部と、当該電源部から出力された前記測定用電圧の電圧値および当該測定用電圧の供給に伴って流れる電流の電流値に基づいて抵抗値を測定する測定部とを備えた抵抗測定装置であって、
正極および負極を有する測定対象体における当該正極に接続される第１プローブと、前記負極に接続される第２プローブと、基準電位に接続される第３プローブと、前記第１プローブおよび前記第２プローブの相互間の電気的接断を行う接断器とを備え、
前記接断器は、測定指示に従って前記第１プローブおよび前記第２プローブを相互に接続させ、
前記測定部は、前記接断器によって接続された前記第１プローブおよび前記第２プローブと前記第３プローブとを介して前記測定対象体の前記正極および前記負極と前記基準電位との間に供給される前記測定用電圧の電圧値、並びに前記相互に接続された第１プローブおよび第２プローブと前記第３プローブとの間に流れる電流の電流値に基づいて前記正極および前記負極と前記基準電位との間の抵抗値を測定する抵抗測定装置。
【請求項２】
前記接断器を介して前記第１プローブおよび前記第２プローブに接続されて当該接断器によって当該両プローブが相互に接続された状態において当該両端子を介して前記測定対象体の前記正極および前記負極の間に流れる電流の電流値を測定する電流測定部を備えている請求項１記載の抵抗測定装置。
【発明の詳細な説明】
【技術分野】
【０００１】
本発明は、測定用電圧の電圧値および測定用電圧の供給に伴って流れる電流の電流値に基づいて抵抗値を測定する抵抗測定装置に関するものである。
【背景技術】
【０００２】
この種の抵抗測定装置として、特許２９２９７６０号公報に開示されたデジタル絶縁抵抗計が知られている。このデジタル絶縁抵抗計は、直流電源、トランス、トランジスタ、発振器および倍電圧整流回路などを備えて、測定した抵抗値をデジタル表示部およびバーグラフ表示部に表示可能に構成されている。
【先行技術文献】
【特許文献】
【０００３】
【特許文献１】特許２９２９７６０号公報（第２−４頁、第１−２図）
【発明の概要】
【発明が解決しようとする課題】
【０００４】
ところが、上記のデジタル絶縁抵抗計には、解決すべき以下の課題がある。すなわち、上記のデジタル絶縁抵抗計を含む従来のこの種の抵抗測定装置を用いて、例えば太陽電池のように正極および負極を有する測定対象体の絶縁状態の良否を検査する際に不便なことがある。具体的には、正極および負極を有する測定対象体の絶縁状態の良否を検査する際には、直流電源から出力される測定用電圧を各電極と基準電位との間に供給し、その際に流れる電流の電流値と測定用電圧の電圧値とに基づいて各電極と基準電位との間の抵抗値を測定する。この場合、正極および基準電位に測定用電圧を供給したときと、負極および基準電位に測定用電圧を供給したときとでは、測定対象体自体の起電力に起因して電流値が異なることがある。このため、このような測定対象体については、正極および負極を接続（短絡）させた状態で両極と基準電位との間に測定用電圧を供給して抵抗値を測定する。この場合、この測定を行う際には、接断器（接続および接続解除を行うスイッチ）における２つの端子を測定対象体の正極および負極にそれぞれ接続し、さらに抵抗測定装置における一方のプローブを正極および負極の接続部位に接触させると共に他方のプローブを基準電位に接触させた状態で、接断器を作動させた後に測定を開始する。このように、従来の抵抗測定装置を用いた正極および負極を有する測定対象体の絶縁状態の良否の検査においては、接断器の端子と測定対象体の正極および負極との接続や、接断器を作動させる操作が必要なことに起因して、検査効率の向上が困難となっている。
【０００５】
本発明は、かかる課題に鑑みてなされたものであり、測定した抵抗値に基づいて測定対象体の検査を行う際の検査効率を向上し得る抵抗測定装置を提供することを主目的とする。
【課題を解決するための手段】
【０００６】
上記目的を達成すべく請求項１記載の抵抗測定装置は、測定用電圧を出力する電源部と、当該電源部から出力された前記測定用電圧の電圧値および当該測定用電圧の供給に伴って流れる電流の電流値に基づいて抵抗値を測定する測定部とを備えた抵抗測定装置であって、正極および負極を有する測定対象体における当該正極に接続される第１プローブと、前記負極に接続される第２プローブと、基準電位に接続される第３プローブと、前記第１プローブおよび前記第２プローブの相互間の電気的接断を行う接断器とを備え、前記接断器は、測定指示に従って前記第１プローブおよび前記第２プローブを相互に接続させ、前記測定部は、前記接断器によって接続された前記第１プローブおよび前記第２プローブと前記第３プローブとを介して前記測定対象体の前記正極および前記負極と前記基準電位との間に供給される前記測定用電圧の電圧値、並びに前記相互に接続された第１プローブおよび第２プローブと前記第３プローブとの間に流れる電流の電流値に基づいて前記正極および前記負極と前記基準電位との間の抵抗値を測定する。
【０００７】
また、請求項２記載の抵抗測定装置は、請求項１記載の抵抗測定装置において、前記接断器を介して前記第１プローブおよび前記第２プローブに接続されて当該接断器によって当該両プローブが相互に接続された状態において当該両端子を介して前記測定対象体の前記正極および前記負極の間に流れる電流の電流値を測定する電流測定部を備えている。
【発明の効果】
【０００８】
請求項１記載の抵抗測定装置によれば、測定対象体の正極に接続される第１プローブと、測定対象体の負極に接続される第２プローブと、測定指示に従って第１プローブおよび第２プローブを相互に接続させる接断器とを備えたことにより、各プローブを正極、負極および基準電位にそれぞれ接触させて測定指示を行うだけで、正極および負極を接続（短絡）させた状態で正極および負極と基準電位との間に測定用電圧を供給させて測定を開始させることができる。このため、この抵抗測定装置によれば、従来の抵抗測定装置を用いた検査方法、つまり正極および負極を短絡させる接断器の２つの端子と正極および負極とをそれぞれ接続させ、さらに正極および負極の接続部位および基準電位にプローブを接触させた状態で、接断器を作動させた後に測定を開始する必要がある従来の検査方法と比較して、検査効率を十分に向上させることができる。
【０００９】
また、請求項２記載の抵抗測定装置は、接断器によって第１プローブおよび第２プローブが相互に接続された状態において両プローブを介して測定対象体の正極と負極との間に流れる電流の電流値を測定する電流測定部を備えている。このため、この抵抗測定装置では、抵抗測定装置とは別の測定装置を用いて電流値を測定する構成とは異なり、抵抗値の測定および電流値の測定の双方を抵抗測定装置だけで自動で行うことができる結果、利便性を十分に向上させることができる。また、第１プローブおよび第２プローブとは別のプローブやセンサを正極および負極等に接触（接続）させる必要がないため、検査効率をさらに向上させることができる。
【図面の簡単な説明】
【００１０】
【図１】絶縁抵抗測定装置１の構成を示す構成図である。
【図２】絶縁抵抗測定装置１の構成を示す斜視図である。
【図３】太陽電池２００の構成を示す構成図である。
【図４】抵抗値Ｒｍおよび電流値Ｉｍを表示させた表示部１８の表示画面図である。
【発明を実施するための形態】
【００１１】
以下、本発明に係る抵抗測定装置の実施の形態について、添付図面を参照して説明する。
【００１２】
最初に、絶縁抵抗測定装置１の構成について、図面を参照して説明する。図１に示す絶縁抵抗測定装置１は、抵抗測定装置の一例であって、例えば図３に示す太陽電池２００を構成する複数のストリング（太陽電池セルの集合体であるモジュールを複数直列に接続した構造体）２０１ａ〜２０１ｎ（測定対象体の一例であって、以下、区別しないときには「ストリング２０１」ともいう）における正極２０２ａおよび負極２０２ｂ（以下、正極２０２ａおよび負極２０２ｂを区別しないときには「電極２０２ａ，２０２ｂ」ともいう）と、基準電位（例えば、グランド電位）に接続されて各ストリング２０１が収容される筐体２０３との間の抵抗値（絶縁抵抗の値）Ｒｍを測定可能に構成されている。具体的には、絶縁抵抗測定装置１は、図１に示すように、電源部１１、測定部１２、接断器１３、電流測定部１４、制御部１５、操作部１６、記憶部１７、表示部１８、第１端子１９ａ、第２端子１９ｂ、第３端子１９ｃ、第１プローブ２０ａ、第２プローブ２０ｂおよび第３プローブ２０ｃを備えて構成されている。
【００１３】
電源部１１は、制御部１５の制御に従い、測定用の電圧Ｖ（例えば、直流電圧）を生成して出力する。測定部１２は、制御部１５の制御に従い、抵抗値Ｒｍを測定する測定処理を実行する。具体的には、測定部１２は、電流検出回路２１、Ａ／Ｄ変換回路２２および測定回路２３を備えて構成されている。電流検出回路２１は、切り替え可能な複数のレンジ抵抗を備えて構成され、このレンジ抵抗の切り替えによって測定レンジを切り替え可能に構成されている。また、電流検出回路２１は、測定対象体に対する電圧Ｖの供給に伴って測定対象体（第１プローブ２０ａおよび第２プローブ２０ｂと第３プローブ２０ｃとの間でもある）を流れる電流Ｉ１を電圧変換して、電圧信号Ｓｖを生成する。Ａ／Ｄ変換回路２２は、電流検出回路２１によって生成される電圧信号Ｓｖをアナログ−ディジタル変換して電圧データＤｖを出力する。測定回路２３は、Ａ／Ｄ変換回路２２から出力される電圧データＤｖ、および電源部１１によって生成される電圧Ｖの電圧値に基づいて抵抗値Ｒｍを測定する。
【００１４】
接断器１３は、図１に示すように、第１端子１９ａと第２端子１９ｂとの間に配置され、後述する操作部１６のメジャースイッチ３３に対する操作（測定指示）に伴って制御部１５から出力される制御信号Ｓ１に従い（つまり、測定指示に従い）、第１端子１９ａに接続されたプローブ２０ａと第２端子１９ｂに接続されたプローブ２０ｂとの相互間の電気的接断（相互間の電気的接続、および電気的接続の解除）を行う。電流測定部１４は、同図に示すように、接断器１３および各端子１９ａ，１９ｂを介して、第１プローブ２０ａおよび第２プローブ２０ｂに接続されている。また、電流測定部１４は、制御部１５の制御に従い、接断器１３によって第１プローブ２０ａおよび第２プローブ２０ｂが相互に接続された状態において、両プローブ２０ａ，２０ｂを介してストリング２０１の正極２０２ａと負極２０２ｂとの間（両プローブ２０ａ，２０ｂ間でもある）に流れる電流Ｉ２の電流値Ｉｍを測定する。
【００１５】
制御部１５は、操作部１６から出力される操作信号Ｓｏに従って絶縁抵抗測定装置１を構成する各部（各回路）を制御する。具体的には、制御部１５は、操作部１６のメジャースイッチ３３（図２参照）がオン操作されて操作信号Ｓｏが出力されたときに（測定指示がされたときに）、制御信号Ｓ１を出力して接断器１３を作動（オン動作）させて、第１プローブ２０ａと第２プローブ２０ｂとを（第１端子１９ａと第２端子１９ｂとを）相互に接続させる。また、制御部１５は、メジャースイッチ３３がオン操作されたときに、電源部１１を制御して測定用の電圧Ｖを出力させると共に、測定部１２を制御して測定処理を実行させて、抵抗値Ｒｍを測定させる。さらに、制御部１５は、メジャースイッチ３３がオン操作されたときに、電流測定部１４を制御して、接断器１３によって相互に接続されたプローブ２０ａ，２０ｂを介してストリング２０１の電極２０２ａ，２０２ｂの間に流れる電流Ｉ２の電流値を測定させる。また、制御部１５は、測定部１２によって測定された抵抗値Ｒｍ、および電流測定部１４によって測定された電流値Ｉｍを記憶部１７に記憶させる。さらに、制御部１５は、表示部１８を制御して、抵抗値Ｒｍおよび後述する電流値Ｉｍを表示させる。
【００１６】
操作部１６は、図２に示すように、正面パネルに配設された電源スイッチ３１、レンジ切り替えスイッチ３２およびメジャースイッチ３３等の各種のスイッチを備えて構成され、各スイッチやボタンが操作されたときに操作信号Ｓｏ（図１参照）を出力する。記憶部１７は、制御部１５の制御に従い、測定部１２によって測定された抵抗値Ｒｍや、電流測定部１４によって測定された電流値Ｉｍを記憶する。表示部１８は、一例として、図２に示すように、正面パネルに配設された液晶ディスプレイで構成され、制御部１５の制御に従い、抵抗値Ｒｍや電流値Ｉｍを表示する。
【００１７】
第１端子１９ａ、第２端子１９ｂおよび第３端子１９ｃは、一例として、図２に示すように、正面パネルに配設されている。また、各端子１９ａ，１９ｂ，１９ｃは、プローブ２０ａ，２０ｂ，２０ｃ（図１参照）をそれぞれ接続可能に構成されている。この場合、第１端子１９ａに接続された第１プローブ２０ａは、測定対象体としての太陽電池２００におけるストリング２０１の抵抗値Ｒｍの測定に際して、ストリング２０１の正極２０２ａに接続される。また、第２端子１９ｂに接続された第２プローブ２０ｂは、抵抗値Ｒｍの測定に際して、ストリング２０１の負極２０２ｂに接続される。さらに、第３端子１９ｃに接続された第３プローブ２０ｃは、抵抗値Ｒｍの測定に際して、太陽電池２００の筐体２０３（筐体２０３が接続されている基準電位としてのグランド電位）に接続される。
【００１８】
次に、絶縁抵抗測定装置１を用いて、図３に示す太陽電池２００の良否を検査する方法、およびその際の絶縁抵抗測定装置１の動作について、図面を参照して説明する。この場合、この検査では、絶縁抵抗測定装置１を用いて、太陽電池２００の各ストリング２０１における正極２０２ａおよび負極２０２ｂを相互に接続し、接続した正極２０２ａおよび負極２０２ｂ（電極２０２ａ，２０２ｂ）と筐体２０３（基準電位）との間の抵抗値Ｒｍを測定し、その抵抗値Ｒｍと予め決められた基準値とを比較してストリング２０１および太陽電池２００の絶縁状態の良否を判定するものとする。
【００１９】
まず、絶縁抵抗測定装置１の各端子１９ａ，１９ｂ，１９ｃに各プローブ２０ａ，２０ｂ，２０ｃをそれぞれ接続する（図１参照）。次いで、図２に示す操作部１６の電源スイッチ３１がオン操作する。この絶縁抵抗測定装置１では、電源スイッチ３１がオン操作されたときに、初期化処理が行われる。この場合、記憶部１７に抵抗値Ｒｍや電流値Ｉｍが記憶されているときには、初期化処理によってそれらが消去される。続いて、操作部１６のレンジ切り替えスイッチ３２を操作し、測定レンジとして、例えば「１００〜１０００ＭΩ」の測定レンジを選択する。次いで、太陽電池２００における各ストリング２０１のうちの１つ（例えば、図３に示すストリング２０１ａ）における電極２０２ａ，２０２ｂと筐体２０３（基準電位）との間の抵抗値Ｒｍを測定する。具体的には、同図に示すように、第１端子１９ａに接続されている第１プローブ２０ａを正極２０２ａに接触させると共に、第２端子１９ｂに接続されている第２プローブ２０ｂを負極２０２ｂに接触させる。また、第３端子１９ｃに接続されている第３プローブ２０ｃを筐体２０３に接触させる。
【００２０】
続いて、操作部１６のメジャースイッチ３３をオン操作する。この際に、操作部１６が測定指示を示す操作信号Ｓｏを出力し、これに応じて、制御部１５が、制御信号Ｓ１を出力して接断器１３をオン動作させて、第１プローブ２０ａと第２プローブ２０ｂとを（第１端子１９ａと第２端子１９ｂとを）相互に接続させる。次いで、制御部１５は、電源部１１を制御して、測定用の電圧Ｖを出力させる。これにより、電源部１１から出力された電圧Ｖが、プローブ２０ａ，２０ｂ，２０ｃを介してストリング２０１ａの電極２０２ａ，２０２ｂおよび筐体２０３の間に供給（印加）される。この場合、接断器１３によって第１プローブ２０ａと第２プローブ２０ｂとが相互に接続されているため、第１プローブ２０ａおよび第２プローブ２０ｂを介してストリング２０１ａの電極２０２ａ，２０２ｂが互いに接続（短絡）された状態で電圧Ｖが供給される。
【００２１】
続いて、制御部１５は、測定部１２を制御して、測定処理を実行させる。この測定処理では、測定部１２の電流検出回路２１が、電圧Ｖの供給に伴って流れる電流Ｉ１を電圧変換して電圧信号Ｓｖを生成する。
【００２２】
次いで、測定部１２のＡ／Ｄ変換回路２２が、電流検出回路２１によって生成された電圧信号Ｓｖをアナログ−ディジタル変換して電圧データＤｖを出力する。続いて、測定部１２の測定回路２３が、Ａ／Ｄ変換回路２２から出力された電圧データＤｖ、および電源部１１によって生成される電圧Ｖの電圧値に基づいて、電極２０２ａ，２０２ｂと筐体２０３との間の抵抗値Ｒｍを測定する。続いて、制御部１５は、測定部１２（測定回路２３）によって測定された抵抗値Ｒｍ（例えば、３２．４８ＭΩ）を記憶部１７に記憶させる。
【００２３】
この場合、この絶縁抵抗測定装置１は、ストリング２０１の正極２０２ａに接続される第１プローブ２０ａと、ストリング２０１の負極２０２ｂに接続される第２プローブ２０ｂと、制御信号Ｓ１（測定指示）に従って第１プローブ２０ａおよび第２プローブ２０ｂを相互に接続させる接断器１３とを備えている。このため、この絶縁抵抗測定装置１では、上記したように、各プローブ２０ａ，２０ｂ，２０ｃを正極２０２ａ、負極２０２ｂおよび筐体２０３（基準電位）にそれぞれ接触させて測定指示を行うだけで、電極２０２ａ，２０２ｂを接続（短絡）させた状態において、電極２０２ａ，２０２ｂと筐体２０３との間に測定用の電圧Ｖが供給されて測定が開始される。したがって、従来の抵抗測定装置を用いた検査方法、つまり電極２０２ａ，２０２ｂを短絡させる接断器の２つの端子とストリング２０１の電極２０２ａ，２０２ｂとをそれぞれ接続させ、さらに一方のプローブを電極２０２ａ，２０２ｂの接続部位に接触させると共に他方のプローブを筐体２０３に接触させ、その状態で、接断器を作動させた後に測定を開始する必要がある従来の検査方法と比較して、この絶縁抵抗測定装置１では、検査効率を十分に向上させることが可能となっている。
【００２４】
一方、制御部１５は、操作部１６のメジャースイッチ３３がオン操作されたときに、電流測定部１４を制御して、接断器１３によって相互に接続されたプローブ２０ａ，２０ｂを介してストリング２０１の電極２０２ａ，２０２ｂの間に流れる電流Ｉ２の電流値Ｉｍを測定させると共に、測定された電流値Ｉｍ（例えば、２５．３２Ａ）を記憶部１７に記憶させる。続いて、制御部１５は、表示部１８を制御して、図４に示すように、記憶部１７に記憶させた抵抗値Ｒｍおよび電流値Ｉｍを表示させる。
【００２５】
次いで、メジャースイッチ３３がオフ操作されたときには、制御部１５は、電源部１１を制御して電圧Ｖの出力を停止させる。また、制御部１５は、測定部１２を制御して測定処理を停止させると共に、電流測定部１４を制御して電流Ｉ２の測定を停止させる。次いで、制御部１５は、接断器１３をオフ動作させて、第１プローブ２０ａと第２プローブ２０ｂとの接続を解除させる。以上により、ストリング２０１ａにおける電極２０２ａ，２０２ｂと筐体２０３との間の抵抗値Ｒｍの測定、および電極２０２ａ，２０２ｂの間に流れる電流Ｉ２の測定が終了する。
【００２６】
以下同様にして、他のストリング２０１における電極２０２ａ，２０２ｂと筐体２０３との間の抵抗値Ｒｍを測定すると共に、電極２０２ａ，２０２ｂ間に流れる電流Ｉ２を測定する。一方、上記のように各ストリング２０１における抵抗値Ｒｍおよび電流値Ｉｍが表示されたときには、その都度、表示させた抵抗値Ｒｍおよび電流値Ｉｍを記憶部１７に記録する。
【００２７】
次いで、全てのストリング２０１についての抵抗値Ｒｍおよび電流値Ｉｍの記録（抵抗値Ｒｍおよび電流値Ｉｍの測定）が終了したときには、各抵抗値Ｒｍと良否判定用の抵抗値の基準値とを比較すると共に、各電流値Ｉｍと良否判定用の電流値の基準値とを比較する。この場合、例えば、各ストリング２０１の抵抗値Ｒｍの全てが基準値以上のときには、その太陽電池２００の絶縁状態が良好であると判定し、抵抗値Ｒｍが基準値を下回るストリング２０１が１つでも存在するときには、その太陽電池２００の絶縁状態が不良であると判定する。一方、例えば、各ストリング２０１の電流値Ｉｍの全てが基準値以上のときには、その太陽電池２００の発電機能が良好であると判定し、電流値Ｉｍが基準値を下回るストリング２０１が１つでも存在するときには、その太陽電池２００の発電機能が不良であると判定する。
【００２８】
このように、この絶縁抵抗測定装置１によれば、測定対象体としてのストリング２０１の正極２０２ａに接続される第１プローブ２０ａと、ストリング２０１の負極２０２ｂに接続される第２プローブ２０ｂと、制御信号Ｓ１（測定指示）に従って第１プローブ２０ａおよび第２プローブ２０ｂを相互に接続させる接断器１３とを備えたことにより、各プローブ２０ａ，２０ｂ，２０ｃを正極２０２ａ、負極２０２ｂおよび筐体２０３（基準電位）にそれぞれ接触させて測定指示を行うだけで、電極２０２ａ，２０２ｂを接続（短絡）させた状態で電極２０２ａ，２０２ｂと筐体２０３との間に測定用の電圧Ｖを供給させて測定を開始させることができる。このため、この絶縁抵抗測定装置１によれば、従来の抵抗測定装置を用いた検査方法、つまり電極２０２ａ，２０２ｂを短絡させる接断器の２つの端子と電極２０２ａ，２０２ｂとをそれぞれ接続させ、さらに電極２０２ａ，２０２ｂの接続部位および筐体２０３にプローブを接触させた状態で、接断器を作動させた後に測定を開始する必要がある従来の検査方法と比較して、検査効率を十分に向上させることができる。
【００２９】
また、この絶縁抵抗測定装置１は、接断器１３によって第１プローブ２０ａおよび第２プローブ２０ｂが相互に接続された状態において両プローブ２０ａ，２０ｂを介してストリング２０１の正極２０２ａと負極２０２ｂとの間に流れる電流Ｉ２の電流値Ｉｍを測定する電流測定部１４を備えている。このため、この絶縁抵抗測定装置１では、絶縁抵抗測定装置１とは別の測定装置を用いて電流値Ｉｍを測定する構成とは異なり、抵抗値Ｒｍの測定および電流値Ｉｍの測定の双方を絶縁抵抗測定装置１だけで自動で行うことができる結果、利便性を十分に向上させることができる。また、プローブ２０ａ，２０ｂとは別のプローブやセンサを電極２０２ａ，２０２ｂ等に接触（接続）させる必要がないため、検査効率をさらに向上させることができる。
【００３０】
なお、液晶ディスプレイで構成された表示部１８に抵抗値Ｒｍおよび電流値Ｉｍを表示する構成例、つまりデジタル表示式の構成例について上記したが、アナログ式の指示メータを備えて、抵抗値Ｒｍおよび電流値Ｉｍをその指示メータで表示するアナログ表示式の構成を採用することもできる。また、電流測定部１４を備えて、抵抗値Ｒｍおよび電流値Ｉｍの双方を測定可能に構成した例について上記したが、抵抗値Ｒｍだけを測定して、その抵抗値Ｒｍの表示や、良否判定用の抵抗値の基準値と抵抗値Ｒｍとを比較しての検査を行う構成を採用することもできる。
【００３１】
また、絶縁抵抗測定装置１を用いて太陽電池２００におけるストリング２０１の抵抗値（絶縁抵抗の値）Ｒｍを測定する例について上記したが、太陽電池２００以外の各種の電池（一次電池や二次電池などの化学電池）の絶縁抵抗の値を測定する際に、この絶縁抵抗測定装置１を用いることができる。
【符号の説明】
【００３２】
１  絶縁抵抗測定装置
１１  電源部
１２  測定部
１３  接断器
１４  電流測定部
１９ａ  第１端子
１９ｂ  第２端子
１９ｃ  第３端子
２０ａ  第１プローブ
２０ｂ  第２プローブ
２０ｃ  第３プローブ
２００  太陽電池
２０１ａ〜２０１ｎ  ストリング
２０２ａ  正極
２０２ｂ  負極
２０３  筐体
Ｉ１  電流
Ｉ２  電流
Ｉｍ  電流値
Ｒｍ  抵抗値
Ｖ  電圧
【図１】
2012154655.tif 000003
【図２】
2012154655.tif 000004
【図３】
2012154655.tif 000005
【図４】
2012154655.tif 000006